(57)【要約】      （修正有）【課題】トルマリンや石英などからなる粒状の人体に有益な影響を与える機能を発揮する、鉱物等を内包した包持体を枕の上に載置した時に、当該包持体が枕の所定の位置に固定され、かつ、包持体中の粒状物の偏移を防止する枕を提供する。【解決手段】粒状物２２の包持体２１を載置するための凹状の載置部１１と、前記載置部内に設けられ、前記粒状物が一部に偏移することを防止する凸状の偏移防止部１２とを配して枕１０を形成する。【選択図】図１
0003160550.tif 000002
【実用新案登録請求の範囲】
【請求項１】
粒状物の包持体を載置するための凹状の載置部と、前記載置部内に設けられ、前記粒状物が一部に偏移することを防止する凸状の偏移防止部とを具備することを特徴とする枕。
【請求項２】
形状可変であることを特徴とする請求項１記載の枕。
【請求項３】
前記載置部は枕の上面に逆錐状に形成され、
前記偏移防止部は載置部下面から突出しかつ載置部の上端よりも低く形成されることを特徴とする請求項１又は２記載の枕。
【考案の詳細な説明】
【技術分野】
【０００１】
本考案は、所定の位置に粒状物包持体を固定し、かつ、包持体中の粒状物の偏移を防止することができる枕に関する。
【背景技術】
【０００２】
近年、トルマリンや石英、ブラックシリカ等の鉱物が、遠赤外線や微弱電流、マイナスイオン等を発生し人体に有益な影響を与えることが注目されており、このような鉱物を利用する製品が多く開発されている。
【０００３】
例えば、上述したような機能を発揮する鉱物を内包した包持体が知られており（例えば、特許文献１参照）、血行促進や新陳代謝の活性化、リラックス効果等を目的に、当該包持体を枕に載置することが行われている。
【先行技術文献】
【特許文献】
【０００４】
【特許文献１】特願２００８−２６０５６４
【考案の概要】
【考案が解決しようとする課題】
【０００５】
しかしながら、包持体を枕の上に載置した場合、頭部の重みや、睡眠中に生ずる頭部の動きにより、包持体が枕の所定の位置からずれるという問題があった。
【０００６】
また、粒状物が包持体中において流動可能な状態である場合には、包持体の載置時や枕の利用中に粒状物が偏移してしまうという問題があった。
【０００７】
さらに、粒状物と接触する頭部に不快感や痛みが生じるという問題があった。
【０００８】
そこで本考案は、当該包持体が枕の所定の位置に固定され、かつ、包持体中の粒状物の偏移が防止されると共に、粒状物に起因する頭部の不快感や痛みを軽減させる枕を提供することを目的とする。
【課題を解決するための手段】
【０００９】
本考案の枕は、粒状物の包持体を載置するための凹状の載置部と、前記載置部内に設けられ、前記粒状物が一部に偏移することを防止する凸状の偏移防止部とを具備することを特徴とする。
【００１０】
この場合、本考案の枕は、形状可変の枕である場合に、よりその効果を発揮する。
【００１１】
また、本考案の枕は、前記載置部は枕の上面に逆錐状に形成され、前記偏移防止部は載置部下面から突出しかつ載置部の上端よりも低く形成されることを特徴とする。
【考案の効果】
【００１２】
本考案の枕は、粒状物の包持体を枕の所定の位置に収容することができ、当該粒状物の包持体内での偏移を防止することができると共に、粒状物に起因する頭部の不快感や痛みを減らすことができる。
【図面の簡単な説明】
【００１３】
【図１】本考案枕の斜視図である。
【図２】包持体を載置した際の本考案枕の斜視図である。
【図３】図２のＩ−Ｉ線断面図である。
【考案を実施するための形態】
【００１４】
本考案の枕１０は、粒状物２２の包持体２１を載置するための凹状の載置部１１と、前記載置部１１内に設けられ、前記粒状物２２が一部に偏移することを防止する凸状の偏移防止部１２とで主に構成される。
【００１５】
ここで、包持体２１とは、粒状物２２を綿等の適当な素材で内包するものであり、粒状物２２の流動によりその形状が変化するものである。また、包持体２１は枕１０よりも小さいサイズなので、非常に簡便に、電子レンジ等での加熱や冷蔵庫等での冷却を行うことができる。
【００１６】
粒状物２２は、包持体２１に内包できる粒状のものであればどのようなものでもよいが、例えば、マイクロ波によって内部加熱を生じる六晶石（登録商標）等の玄武岩を用いることができる。六晶石（登録商標）は、熱容量が大きく冷めにくい機能や、遠赤外線放射率が高いという機能が知られている。そのため、電子レンジで加熱したものを枕１０上に載置することにより、血行を促進させる効果を人体に十分に与えることが期待できる。また、六晶石（登録商標）はこの他にも、生体内と同程度の微弱電流を発生して、ツボや細胞を刺激するとも言われており、当該焦電効果についても同様に、人体への効果的な影響を期待することができる。
【００１７】
なお、粒状物２２としては、他にも、圧電体であるトルマリンや石英、遠赤外線を発生するブラックシリカ、ゲルマニウム含有石等を用いることができ、当該粒状物２２を内包する包持体２１を枕１０に載置することにより、温熱やリフレッシュ効果を人体に十分に与えることが期待できる。
【００１８】
枕１０は、通常枕として使用できる外観形状であればどのようなものであってもよく、例えば、直方体型、橋型、波型、かまぼこ型、円筒型、三角柱型、円板型等の形状であってもよい。
【００１９】
また、睡眠時に快適な姿勢を保てるように任意に凹凸が設けられた枕であってもよく、例えば、頸椎を圧迫しないように、首頸部の接する部位に自然なカーブを設けることができる。
【００２０】
また、枕１０は、形状不変または可変を問わないが、形状可変であるときに、包持体２１の枕１０上での位置や包持体２１中の粒状物２２の大きな偏移を防止するという本発明の効果を発揮する。これは、形状可変の枕は、包持体２１の載置時や枕１０の利用時に枕１０が変形するため、包持体２１の枕１０上での位置や包持体２１中の粒状物２２の大きな偏移が生じやすいからである。
【００２１】
また、形状可変であるときには、粒状物に起因する頭部の不快感や痛みを軽減させるという本発明の効果も発揮する。これは、枕１０の利用時に偏移防止部１２が沈み込み、圧力を吸収・分散させるためである。
【００２２】
形状可変の枕としては、合成樹脂を発泡成形した枕が挙げられ、例えば、低反発ウレタン等の弾力性のある枕を用いることができる。また、合成樹脂をビーズ状、チップ状、パイプ状等にしたものや、綿、羽、そばがら、木屑、い草、葉、炭、石、水、ゲル等を充填して成形した枕を用いることもできる。
【００２３】
載置部１１は、使用する包持体２１の形状に合わせて任意の凹状に形成される。ここで、包持体２１が、図２、図３に示すように、粒状物２２を内包する粒状物内包部２３と、粒状物を内包しない粒状物非内包部２４とに分かれている場合には、粒状物内包部２３が枕１０の所定の位置に固定されるように、粒状物内包部２３の形状に合わせて載置部１１を形成する方が好ましい。また、粒状物非内包部２４が固定される凹状部を更に設けてもよい。これにより、枕１０上での包持体２１の位置のずれをより効果的に防止することができる。
【００２４】
また、載置部１１の形状は、包持体２１を枕に固定することのできる凹状であればどのような形状であってもよいが、例えば逆錐状に形成できる。ここで、逆錐状とは、下面よりも上面に向かうほどその径が大きくなる形状のことを指す。載置部１１を逆錐状に形成することにより、包持体２１を固定しやすく、かつ、枕１０の上面において粒状物２２の表面積を広く確保することができる。
【００２５】
なお、載置部１１は、包持体２１内の粒状物２２の効果を人体に与えることのできる任意の位置に設けることができる。例えば、枕１０の上面に設けることができ、また、通常の枕の使用において頭を載せる部位に設けることができる。
【００２６】
偏移防止部１２は、載置部１１内に設けられ、粒状物２２が一部に偏移することを防止するものであれば、任意の凸状に形成することができる。例えば、半球ドーム状や錐状に形成することができる。
【００２７】
これにより、粒状物２２の偏移防止効果のみならず、頭部への不快感や痛みを軽減させるという本発明の効果も発揮する。これは、凸状部の頂点付近における粒状物２２の厚みが薄くなることで、粒状物の硬さより枕側の柔らかさをより反映するためである。
【００２８】
この時、偏移防止部１２の高さは、載置部１１の上端の高さよりも低く形成されていることが好ましい。これにより、偏移防止部１２が快適な睡眠の障害となることを防止することができる。
【００２９】
また、偏移防止部１２は、載置部１１の下面から突出するように形成されていることが好ましい。なお、偏移防止部１２が１つの場合には、載置部１１の下面中央から突出するように形成されていることが好ましい。
【符号の説明】
【００３０】
１０  枕
１１  載置部
１２  偏移防止部
２１  包持体
２２  粒状物
２３  粒状物内包部
２４  粒状物非内包部
【図１】
0003160550.tif 000003
【図２】
0003160550.tif 000004
【図３】
0003160550.tif 000005